(57)【要約】【課題】  処理水を利用する調理を容易に提供する。【解決手段】  使用者の使用に係る操作に基づいて、通水により流入した原水に対し所定の処理を施して得た処理水を供給する水処理器と、少なくとも表示手段を有し、前記水処理器で供給可能な種類の処理水を使用して使用者が行う所定の作業について、使用する所定の処理水を明示しつつ使用者による作業を支援する所定の情報表示を前記表示手段により実行する情報提供部と、を備え、前記情報表示には、処理水を使用する表示領域が、情報提供部の入力デバイスのスイッチとして使用者の指示操作を受入可能な状態で含まれており、表示領域を指す操作で指示入力がなされると、表示された処理水を特定するデータが水処理器に送信されて、水処理器で生成する処理水が選択される情報提供システム。【選択図】  図７
2019209329.tif 000002
【特許請求の範囲】
【請求項１】
使用者の使用に係る操作に基づいて、通水により流入した原水に対し所定の処理を施して得た処理水を供給する水処理器と、
少なくとも表示手段を有し、前記水処理器で供給可能な種類の処理水を使用して使用者が行う所定の作業について、使用する所定の処理水を明示しつつ使用者による作業を支援する所定の情報表示を前記表示手段により実行する情報提供部と、を備え、
前記情報表示には、処理水を使用する表示領域が、情報提供部の入力デバイスのスイッチとして使用者の指示操作を受入可能な状態で含まれており、表示領域を指す操作で指示入力がなされると、表示された処理水を特定するデータが水処理器に送信されて、水処理器で生成する処理水が選択されることを特徴とする情報提供システム。
【請求項２】
前記作業は調理であり、前記作業を支援する所定の情報は、調理レシピであることを特徴とする請求項1に記載の情報提供システム。
【発明の詳細な説明】
【技術分野】
【０００１】
本発明は、供給される原水を処理して所定の処理水を生成する水処理器と、この水処理
器の使用に係る情報を使用者に提供する情報提供部とを備える情報提供システムに関する
。
【背景技術】
【０００２】
供給された水道水や井戸水等から有害物質等を除去して飲用に適した水を得る浄水器や
、水道水等を電気分解してイオン水、すなわち飲用水として利用可能なアルカリ水と洗浄
水等の非飲用に用いる酸性水とを生成するイオン整水器といった機器では、使用に応じて
劣化する浄水部のカートリッジや、イオン水生成に伴って消費され減少していく食塩やカ
ルシウム等の電解質源を、交換、補充する必要がある。
【０００３】
このような交換、補充を適切な時期に行えるように、所定のネットワークに接続されて
、交換、補充等のメンテナンス依頼用の情報を外部に送信できる他、使用者が必要な情報
をネットワークを介して得ることができる機器が、従来から提案されている。こうしたネ
ットワークに接続される従来のイオン整水器の一例として、特開２００１−７０９４３号
公報に開示されるものがある。
【先行技術文献】
【特許文献】
【０００４】
【特許文献１】特開２００１−７０９４３号公報
【発明の概要】
【発明が解決しようとする課題】
【０００５】
従来のイオン整水器は、前記特許文献に示される構成とされており、所望の処理水を供
給するだけでなく、使用者の操作により、ネットワークを通じて各種情報を入手でき、ま
た、使用者が煩わしい操作を行うことなく、メンテナンスに係る依頼を行う機能も有して
いた。
【０００６】
ただし、前記特許文献に示されるような従来のイオン整水器等の機器では、浄水やイオ
ン水等の処理を経た処理水を供給するにあたり、これら処理水の性質（例えば水素イオン
濃度で表される、アルカリや酸としての強さ）に応じた用途を具体的に使用者に理解させ
た上で、水供給を実行しているわけではなかった。すなわち、従来の機器では、装置上の
表示等から、処理水の性質までは認識可能であるものの、処理水の用途については、主な
用途が示されるに留まっており、使用者の処理水に対する理解と明確な使用目的に欠けて
いる場合は、処理水の適切な利用は望めなかった。
【０００７】
そして、具体的にどの処理水がどのような用途に対応して、いかにして最適な処理水を
選択して用いるかは、水処理器の通常の使用のみでは理解しにくいという問題があった。
こうした処理水の用途については、前記従来のイオン整水器におけるネットワーク接続機
能を利用して使用者自身が調べることもできるが、手間がかかり煩わしいものであり、す
ぐに結果を得ることも難しいという課題を有していた。
【０００８】
また、イオン整水器におけるメンテナンス対象の部位は、その状況に関する情報の外部
への送信により、交換、補充等に伴う改善が期待できるものの、実際の水使用で生じる問
題への対処、例えば、定期的なイオン水の飲用を使用者が怠った場合の注意喚起や、水の
使い過ぎに対する警告等は、水処理器の機能にはないことで対応を実行できず、使用者自
身が使用の際に気を付けて対応する他はなかった。
【０００９】
本発明は前記課題を解消するためになされたもので、水処理器の供給可能な処理水の使
用に関する情報を使用者に示して、水処理器の処理水供給機能を有効活用しやすくすると
共に、水処理器から得られる流量に係る情報に基づいて、水処理器の水の使用状態に異常
があれば情報提供部から通知を行わせるようにして、異常な状態への適切な対応を促せる
、情報提供システムを提供することを目的とする。
【課題を解決するための手段】
【００１０】
本発明の開示に係る情報提供システムは、使用者の使用に係る操作に基づいて、通水に
より流入した原水に対し所定の処理を施して得た処理水を供給する水処理器と、少なくと
も表示手段を有し、前記水処理器で供給可能な種類の処理水を使用して使用者が行う所定
の作業について、使用する所定の処理水を明示しつつ使用者による作業を支援する所定の
情報表示を、前記表示手段により実行する情報提供部と、当該水処理器の水の使用状態に
ついて判断する管理部とを備え、前記情報提供部が、前記水処理器に対し、使用者による
情報提供部での前記所定の情報表示の視認と水処理器の操作が共に可能となる、所定距離
以内に互いに近付いた位置関係をなす状態で、水処理器と一対一に通信可能とされ、前記
水処理器が、情報提供部と通信可能な状況で、処理水供給の際における水の流量に係る情
報を情報提供部に送信可能とされ、前記管理部が、情報提供部が受信した前記水処理器の
流量に係る情報を監視し、所定の基準状態と比較して水使用状態が異常と見なせる場合に
は、異常な状態を示す通知情報を、あらかじめ登録された情報提供部に送り、前記通知情
報を受取った情報提供部が、当該情報提供部の使用者に水使用の異常な状態を伝える所定
の通知を実行可能とされるものである。
【００１１】
このように本発明の開示によれば、使用者に情報を表示提供する情報提供部で、水処理
器から供給可能な処理水を使用する所定の作業を支援する情報を表示して、処理水の具体
的使用例を示し、使用者が水処理器に処理水を供給させて使用する動機付けを与える一方
、その情報表示を視認しながら水処理器操作が行える程度に情報提供部と水処理器を近付
けた状態で、情報提供部と水処理器とを通信可能とし、水処理器の供給した水の流量に係
る情報を情報提供部に送信して、情報提供部を通じて管理部で水の流量に係る情報を監視
、検証し、水処理器の水の使用状態が異常と見なせる場合には、その異常な状態を示す情
報を所定の情報提供部に送り、情報提供部から水使用の異常な状態を通知させることによ
り、水処理器の有効な活用を図りつつ、水処理器の処理水使用について異常な状態が生じ
ている場合には、使用者などに異常な状態を把握させて対処させられ、水使用の異常につ
ながった使用者又は水処理器における問題を解消できる。
【００１２】
また、本発明の開示に係る情報提供システムは、前記情報提供部が、所定のネットワー
クに接続されてデータを送受信可能とされる携帯通信端末であり、前記水処理器の流量に
係る情報を前記管理部へ送信し、前記管理部が、前記所定のネットワークに接続され、情
報提供部から受信した水処理器の流量に係る情報を記録し蓄積するサービスを実行可能な
サーバであり、前記管理部が、前記水処理器の流量に係る情報を水処理器ごとに記録して
、水処理器における処理水使用の履歴データとして蓄積し、情報提供部から新たに取得し
た流量に係る情報について、前記履歴データから求めた基準状態と比較して、水使用状態
が異常と見なせるか否かを判定するものである。
【００１３】
このように本発明の開示によれば、携帯通信端末である情報提供部から流量に係る情報
を管理部にネットワークを介して送信し、管理部でこの流量に係る情報を水処理器ごとの
処理水使用の履歴データとして記録蓄積するようにし、管理部が新たに情報提供部から流
量に係る情報を受信すると、履歴データに基づいて水使用が異常な状態と見なせるか否か
を判定することにより、サーバである管理部で流量に係る情報を記録蓄積し、且つそれに
基づいて、異常な状態を判断する処理を行う分、情報提供部の記憶容量や処理能力に関わ
りなく水処理器の状態把握を適切に実行でき、情報提供部を簡略な携帯通信端末として低
コスト化が図れると共に、管理部で情報を集中管理することで、管理部に記録した多数の
水処理器の情報を適宜活用して水処理器の適切な利用を促すことができ、水処理器のさら
なる有効活用も図れる。また、携帯通信端末を水処理器の水使用に係る異常な状態の通知
手段として、通常の携帯通信端末としての本来目的の使用で慣れた操作性をもって使用状
態確認に利用でき、使い勝手の点で優れる。
【００１４】
また、本発明の開示に係る情報提供システムは必要に応じて、前記管理部が、情報提供
部を通じて新たに取得した水処理器の流量に係る情報から、処理水の使用継続時間を導出
し、当該継続時間について、水処理器の履歴データに基づいて算出した通常時の平均的継
続時間と比較して、所定の許容範囲を超えて長く処理水使用がなされている異常な状態で
あると判定した場合に、当該異常な状態を示す通知情報を、前記水処理器の使用者の情報
提供部に対し送信するものである。
【００１５】
このように本発明の開示によれば、管理部で水処理器の流量に係る情報を新たに取得し
た際に、この新たな情報に基づく水使用の継続時間を求める一方、管理部に記録蓄積した
同じ水処理器の履歴データから水使用の平均的継続時間を求め、新たな情報に基づく継続
時間と平均的継続時間との比較で、許容範囲を超えるような長い時間にわたり水使用がさ
れている場合に、異常な状態と判断して、使用者の情報提供部に通知を行うことにより、
水処理器の処理水を使用した使用者に対し、平均的な使用継続時間に比べ明らかに長い時
間にわたって水使用が継続している異常な状態で、使用者に通知を行って警告できること
となり、使用者が意図せずに水使用が継続して垂れ流し状態となっているような場合に、
使用者の適切な対応を促して、意図しない水使用の継続を防ぐことができ、意図しない処
理水生成に伴う水処理器の処理能力低下進行も抑えられる。
【００１６】
また、本発明の開示に係る情報提供システムは必要に応じて、前記管理部が、情報提供
部を通じて新たに取得した水処理器の流量に係る情報から、処理水の使用量を導出し、当
該使用量について、水処理器の履歴データに基づいて算出した前記処理水の通常時の平均
的使用量と比較して、所定の許容範囲を超えて多い又は少ない異常な状態であると判定し
た場合に、当該異常な状態を示す通知情報を、前記水処理器の使用者の情報提供部に対し
送信するものである。
【００１７】
このように本発明の開示によれば、管理部で水処理器の流量に係る情報を新たに取得し
た際に、この新たな情報に基づく処理水の使用量を求める一方、管理部に記録蓄積した同
じ水処理器の履歴データから処理水の平均的使用量を求め、新たな情報に基づく使用量と
平均的使用量との比較で、許容範囲を超えるような水使用の増減がある場合に、異常な状
態と判断して、使用者の情報提供部に通知を行うことにより、水処理器の処理水を使用し
た使用者に対し、処理水の従来から使用してきた定常の使用量を大きく下回る水量のみ使
用したか、逆に定常の使用量を超過して使い過ぎたような従来と明らかに異なる状態で、
使用者に通知を行って注意を喚起できることとなり、習慣のように繰り返し行う周期的な
水使用について、使用者の自覚を促し、誤って定常使用状態から外れるように実行する機
会を減らして、使用者に処理水の適切な使用を継続的に行わせることができる。
【００１８】
また、本発明の開示に係る情報提供システムは必要に応じて、前記管理部が、情報提供
部を通じて新たに取得した水処理器の流量に係る情報から、水処理器への通水状態を検知
し、水処理器に通水されない状態が所定時間以上継続する異常な状態であると判定した場
合に、当該異常な状態を示す通知情報を、前記水処理器の使用者の情報提供部以外のあら
かじめ登録された情報提供部に対し送信するものである。
【００１９】
このように本発明の開示によれば、管理部で水処理器の流量に係る情報を新たに取得し
た際に、この新たな情報から取得される水処理器への通水状態について、水処理器に通水
されてない状況が長時間にわたり継続している場合に、管理部がこれを水使用量０の状態
が続く異常な状態と判断して、使用者や他の登録された情報提供部に通知を行うことによ
り、夜間や外出等で処理水を使用しない、一般的な水不使用状態の継続期間に比べて、明
らかに長い時間にわたって水処理器で処理水を生成、供給していない異常な状態について
、水処理器の使用者のもの以外の情報提供部に通知を行って警告できることとなり、使用
者自身の体調変化等が原因で使用者が水処理器へ通水させられない状態となっているよう
な場合に、情報提供部の通知を受けた他者に、使用者の状態を確認させて、使用者の体調
急変等の状態を放置せず適切に対応できることとなり、使用者の安否確認の役割を果たせ
る。
【００２０】
また、本発明の開示に係る情報提供システムは必要に応じて、前記管理部が、前記情報
提供部が水処理器と通信可能な状況になく、所定期間以上にわたり情報提供部から水処理
器の流量に係る情報を取得していない場合、水処理器又は使用者が異常な状態にあると判
断し、当該異常な状態を示す通知情報を、前記水処理器の使用者の情報提供部及びあらか
じめ登録された他の情報提供部に対し送信するものである。
【００２１】
このように本発明の開示によれば、管理部と情報提供部との間でデータ送受信可能であ
りながら、情報提供部が水処理器から流量に係る情報を受信できないことで管理部が水処
理器の流量に係る情報を新たに取得できず、且つ、この状態が所定時間以上継続した場合
に、管理部がこれを異常な状態と判断して、使用者や他の登録された情報提供部に通知を
行うことにより、何らかの原因で情報提供部が水処理器の流量に係る情報を長時間にわた
り取得できない異常な状態で、使用者や使用者以外の情報提供部に通知を行って警告でき
ることとなり、情報提供部と水処理器間の通信不具合や水処理器の作動不具合等で水処理
器から流量に係る情報を情報提供部に送れない状態の場合に、使用者の適切な対応を促し
て、水供給に応じた流量に係る情報を再び管理部で適切に取得して処理を行うことができ
る。この他、使用者自身の体調変化等が原因で使用者が水処理器の側まで移動できず、情
報提供部と水処理器とを通信させられない異常な状態となっているような場合に、情報提
供部の通知を受けた他者に、使用者の状態を確認させて、使用者の体調急変等の状態を放
置せず適切に対応できることとなり、使用者の安否確認の役割も果たせる。
【図面の簡単な説明】
【００２２】
【図１】本発明の第１の実施形態に係る情報提供システムのブロック図である。
【図２】本発明の第１の実施形態に係る情報提供システムにおける水処理器の概略斜視図である。
【図３】本発明の第１の実施形態に係る情報提供システムにおける水処理器の水処理系統概略構成図である。
【図４】本発明の第１の実施形態に係る情報提供システムにおける水処理器の制御系統ブロック図である。
【図５】本発明の第１の実施形態に係る情報提供システムにおける携帯通信端末と水処理器との通信確立時の情報の流れ状態説明図である。
【図６】本発明の第１の実施形態に係る情報提供システムにおける料理品目の調理の提案に至る情報の流れ状態説明図である。
【図７】本発明の第１の実施形態に係る情報提供システムの携帯通信端末における料理品目についての情報表示状態説明図である。
【図８】本発明の第１の実施形態に係る情報提供システムにおける水処理器の流量に係る情報の流れ状態説明図である。
【図９】本発明の第１の実施形態に係る情報提供システムにおける水使用異常状態での情報の流れ状態説明図である。
【図１０】本発明の第１の実施形態に係る情報提供システムにおける水使用異常状態での携帯通信端末による通知内容表示状態説明図である。
【図１１】本発明の第２の実施形態に係る情報提供システムにおける水使用異常状態での携帯通信端末による通知内容表示状態説明図である。
【図１２】本発明の第３の実施形態に係る情報提供システムにおける情報の流れ状態説明図である。
【図１３】本発明の第３の実施形態に係る情報提供システムにおける水使用異常状態での携帯通信端末による通知内容表示状態説明図である。
【図１４】本発明の第４の実施形態に係る情報提供システムにおける情報の流れ状態説明図である。
【図１５】本発明の第４の実施形態に係る情報提供システムにおける水使用異常状態での水処理器使用者の携帯通信端末による通知内容表示状態説明図である。
【図１６】本発明の第４の実施形態に係る情報提供システムにおける水使用異常状態での他者の携帯通信端末による通知内容表示状態説明図である。
【図１７】本発明の第５の実施形態に係る情報提供システムにおける水処理器の浄水カートリッジ交換時期を通知するメッセージデータの送信、表示状態説明図である。
【発明を実施するための形態】
【００２３】
（本発明の第１の実施形態）
以下、本発明の第１の実施形態に係る情報提供システムを前記図１ないし図１０に基づ
いて説明する。
前記各図において本実施形態に係る情報提供システム１は、使用者の使用に係る操作に
基づいて処理水を供給する水処理器１０と、この水処理器１０で供給可能な処理水を使用
した調理の支援のための情報表示を実行する前記情報提供部としての携帯通信端末５０と
、ネットワーク１００を介して携帯通信端末５０に対しデータ送受信可能とされ、水処理
器１０での水の使用状態について判断する前記管理部としての管理サーバ６０とを備える
構成である。
【００２４】
このうち、前記水処理装置１０は、水道蛇口３０に接続されてこの水道蛇口３０を介し
て送給される原水としての水道水を導入する給水管１１と、ろ過手段を内蔵した交換可能
な一又は複数の浄水カートリッジ１２ａを有して原水を浄化する浄水部１２と、この浄水
部１２で浄化された水の流量を測定する流量センサ１３と、浄化された水に食塩を添加す
る食塩添加筒１４ａと、浄化された水にカルシウムを添加するカルシウム添加筒１４ｂと
、流量センサ１３を経た水を食塩添加筒１４ａとカルシウム添加筒１４ｂのいずれに向わ
せるか切換える流路切替部１５と、複数の電極板１６ａ、１６ｂ、１６ｃを有して食塩添
加筒１４ａ又はカルシウム添加筒１４ｂを通過した水の電解を行う電解槽１６と、使用に
供する処理水を流す吐水流路１７ａと、使用に供さない水を排出する排出流路１７ｂと、
電気的に接続された各部を制御すると共に携帯通信端末と通信を行う制御部２０と、吐出
する処理水の情報や装置各部の作動状態、浄水カートリッジの交換時期等の表示を行う本
体表示部１８と、本装置の起動、停止や各種処理水の生成等を指示する複数のスイッチを
有して使用者の操作入力を受付ける操作部１９とを備える構成である。
【００２５】
この水処理装置１０のうち、水処理とそれにより得られる処理水の供給に係る、給水管
１１、浄水部１２、流量センサ１３、食塩添加筒１４ａ、カルシウム添加筒１４ｂ、流路
切替部１５、電解槽１６、吐水流路１７ａ、及び排出流路１７ｂの各機構の構成について
は、処理水として、アルカリ水、酸性水、及び、浄水部で浄化されるだけで電解されない
浄水を、それぞれ吐水供給可能な公知のイオン整水器と同様のものであり、詳細な説明を
省略する。
【００２６】
前記制御部２０は、操作部１９の操作や、あらかじめ記録設定された処理水の状態、ま
た流量センサ１３等から得た検出情報に基づいて、流路切替部１５の切替、電解槽１６の
第１ないし第３の各電極板１６ａ、１６ｂ、１６ｃへの電圧印加をそれぞれ行わせて、適
切に処理水を生成、供給するための制御を行うものである。
【００２７】
この制御部２０は、そのハードウェア構成として、ＣＰＵや記憶部、入出力インターフ
ェース等を備えるコンピュータとなっており、記憶部に格納されるプログラムにより、コ
ンピュータを制御部２０として動作させる仕組みである。この制御部２０をなすコンピュ
ータは、ＣＰＵや記憶部、ＲＯＭ等を一体的に形成されたマイクロコンピュータとしても
かまわない。
【００２８】
この制御部２０をなすコンピュータのユニットは、装置筐体１０ａ内部の所定のスペー
スに配設され、同じく内部の流量センサ１３、流路切替部１５をはじめとする電磁弁機構
、及び、電解槽１６の各電極板１６ａ、１６ｂ、１６ｃに電圧を印加するための電源部１
０ｂとそれぞれ電気的に接続され、処理水の生成、供給実行の際には、浄水部１２を通過
した水の流量を把握しつつ、設定された処理水のデータに基づく制御信号出力により、こ
れらの各部の作動を制御する。
加えて、制御部２０は、装置表面の本体表示部１８、及び操作部１９ともそれぞれ電気
的に接続され、各種表示や、各スイッチ操作に対応した機能実行等の制御を行うこととな
る。
【００２９】
制御部２０は、さらに、各処理水を特徴付ける水素イオン濃度の値など、処理水の性質
に係るデータを格納する記憶部２１と、携帯通信端末５０の送信したデータを受信すると
共に携帯通信端末５０へデータを送信する通信手段２２とを有するものである。制御部２
０は、携帯通信端末５０からの送信情報や、操作部１９で使用者により選択指示された、
生成、供給すべき処理水について、対応する処理水のデータを記憶部２１から読み出し、
データに基づく制御信号を出力して、各機構、具体的には、流路切替部１５他の弁機構や
電源部１０ｂ等を作動させ、水の通過する流路の設定や電極への所定電圧印加によって、
使用者の選択した処理水を、生成して吐水流路１７ａを通じ供給可能としている。
【００３０】
また、制御部２０は、水処理器１０における水供給の実行に伴い、浄水部１２を通過し
た水の流量を流量センサ１３で測定し、得られた流量に係る情報を携帯通信端末５０に通
信手段２２を通じて送信する仕組みを有する。制御部２０が取得し送信するこの流量に係
る情報は、制御部２０が、処理水の種類を指定されての処理水の生成、供給の実行指示を
受けて、処理水生成のために浄水部１２に通した水の流量のデータであり、処理水の指定
内容と共に解析すれば、各処理水をどれ位使用したかを判別可能となるものである。
【００３１】
なお、制御部２０は、流量に係る情報以外に、本体表示部１８でも表示可能な、浄水部
１２の浄水カートリッジが交換時期に達したことや、食塩添加筒１４ａの食塩やカルシウ
ム添加筒１４ｂのカルシウム剤が補充時期に達したことなどを示す情報を、携帯通信端末
５０に送信可能とすることもできる。
【００３２】
前記記憶部２１は、各処理水の特徴に係るデータ、詳細には、例えば強アルカリ水はｐ
Ｈ１０．５、酸性水はｐＨ５．５、などの基本的な性質に関するデータを格納するもので
ある。この記憶部２１のデータを、制御部２０が参照して、携帯通信端末５０からの情報
や操作部１９からの操作指示入力に対応する処理水のデータを読出し、これに基づいて各
部を制御することで処理水の生成、供給を実行可能としている。
【００３３】
前記通信手段２２は、所定距離以内に近付いた携帯通信端末５０との通信を可能にする
ものであり、この携帯通信端末５０と通信可能な状態にある間、携帯通信端末５０から送
信された処理水に係るデータを受信する一方、その時点での水処理器１０での水の流量に
係る情報を携帯通信端末５０に向け送信する。携帯通信端末５０との通信は、ISO/IEC 18
092等の規格方式による近距離無線通信や、例えばIEEE 802.11シリーズやIEEE 802.15シ
リーズの規格方式等による無線通信として行われる。
【００３４】
前記携帯通信端末５０は、表示デバイス５１及び入力デバイス５２を備え、携帯電話網
及び／又はデータ通信網と接続して通信する機能を有する携帯電話やいわゆるスマートフ
ォン、タブレット型端末、ＰＤＡ（携帯情報端末）などの公知の装置であり、このうち、
端末上でアプリケーションプログラムを実行可能であり、且つ、携帯電話網及び／又はデ
ータ通信網への接続用の無線通信手段５３とは別の、水処理器１０の通信手段２２と無線
通信する通信接続手段５４と、表示デバイス５１で表示する情報内容に係るデータを保持
可能な記憶手段５５とを有するものである。携帯通信端末５０は、タッチパネル式の表示
デバイス５１を有して、表示デバイス５１が入力デバイス５２を兼ねる構成である。
【００３５】
この携帯通信端末５０は、水処理器１０に対し、使用者による表示デバイス５１上の情
報表示内容の視認と水処理器１０の操作が共に可能となる、所定距離以内に互いに近付い
た位置関係をなす状態で、水処理器１０との間に一対一の通信状態を確立して、データを
送受信可能とされる構成である。また、携帯通信端末５０は、無線通信手段５３並びに前
記携帯電話網及び／又はデータ通信網を通じてネットワーク１００に接続可能とされ、管
理サーバ６０に対しネットワーク１００を介してデータ送受信を行える構成である。
【００３６】
そして、携帯通信端末５０は、作業支援用のプログラムを実行することで、水処理器１
０で供給可能な種類の処理水を使用して使用者が行う所定の作業について、使用者による
作業を支援する所定の情報表示を表示デバイス５１により行うものとなっている。この作
業支援対象の具体的な作業としては、調理が挙げられる。
【００３７】
すなわち、携帯通信端末５０は、使用者の調理支援用のプログラムの実行により、水処
理器１０で供給可能な種類の処理水を、材料の一部として使用する、又は調理作業過程で
、作業用の水、例えば洗浄用の水として、使用する所定の料理品目について、使用する処
理水を明示しつつ使用者による調理作業を支援する、調理レシピなどの情報を、管理サー
バ６０からダウンロードし、且つ表示デバイス５１でその情報表示を実行可能とされる。
加えて、携帯通信端末５０は、前記料理品目で使用する処理水を特定するデータを、水処
理器１０に送信する機能を有する。
【００３８】
携帯通信端末５０における調理作業支援のための料理品目についての情報表示の具体的
手順としては、まず、携帯通信端末５０が水処理器１０と通信可能となったタイミングで
、料理品目の情報をダウンロードするための情報要求データがネットワーク１００を介し
て管理サーバ６０に送信される。そして、管理サーバ６０で、この情報要求データに対応
して、水処理器１０で供給可能な処理水を材料の一部として、又は調理作業の所定段階で
使用する、所定の料理品目を抽出する処理が実行され、この抽出された料理品目の情報が
携帯通信端末５０に送信される仕組みである。
【００３９】
携帯通信端末５０は、管理サーバ６０より送信された、料理品目の情報を受信し、この
料理品目の調理について、使用者に対し調理作業を支援する情報の表示を実行することと
なる。なお、表示デバイス５１での料理品目についての情報表示には、材料としての処理
水を表す表示領域や、調理過程で処理水を使用する時点を示す表示領域が、入力デバイス
５２のスイッチとして使用者の指示操作を受入可能な状態で含まれており、表示領域を指
す操作で指示入力がなされると、表示された処理水を特定するデータが水処理器１０に送
信されて、水処理器１０で生成する処理水が選択される仕組みである。
【００４０】
携帯通信端末５０が、水処理器１０と通信可能な状況で、前記料理品目についての情報
表示を実行する一方、その料理品目で使用する処理水を特定するデータを水処理器１０に
送信すると、データを受信した水処理器１０の制御部２０は、データに基づいて生成する
処理水を選択決定すると共に、この処理水に対応する操作部１９の処理水選択操作対象で
あるスイッチを、使用者に代わって選択状態とする（例えば、スイッチにおける内蔵照明
を点灯させるなど）こととなる。こうして適切な処理水の生成が可能な状態とされた水処
理器１０に対し、使用者の蛇口開放操作に伴って通水がなされると、制御部２０が水処理
器１０の各部を作動させて、携帯通信端末５０で表示される料理品目の情報中に示された
処理水の生成、供給を水処理器１０で行える仕組みである。
【００４１】
この他に、水処理器１０への原水（水道水）の通水状態を切り替える蛇口３０を自動開
閉可能として、水処理器１０の制御部２０が、携帯通信端末５０からの処理水を特定する
データを受信した際に、生成する処理水を選択決定し、水処理器１０の各部を処理水に対
応した作動状態とすることに加えて、蛇口３０も自動で開放して通水を行うようにし、携
帯通信端末５０で表示される料理品目で使用される処理水の生成、供給を、使用者の操作
を介さずに自動実行する構成とすることもできる。
【００４２】
一方、使用者による通水に係る蛇口操作を経て、水処理器１０が処理水を生成、供給し
た場合、携帯通信端末５０との通信状態が確立されていれば、水処理器１０における水の
流量に係る情報が、供給した処理水の種類に係る情報と共に、制御部２０の通信手段２２
から携帯通信端末５０に送信される仕組みである。携帯通信端末５０は、この流量等に係
る情報を受取り、これらの情報を無線通信手段５３で管理サーバ６０に向け送信する機能
を有する。
【００４３】
また、携帯通信端末５０は、管理サーバ６０から送信された情報を受取り、その情報を
携帯通信端末５０の使用者に通知することが必要な場合には、料理品目についての情報表
示と並行した、又は全く別途に実行される表示として、あるいは、表示以外の例えば音声
や警告音、発光部の点灯や点滅等として、通知を実行する機能も有している。
【００４４】
この他、携帯通信端末５０は、他のプログラムの実行により、携帯通信端末５０の記憶
手段５５に記録されたデータや、管理サーバ６０から送信されるデータに基づいて、水処
理器１０の操作についての案内、解説に係る表示を実行したり、管理サーバ６０からの告
知、案内情報や問い合わせ等のデータを受信して表示し、また使用者の入力した返答等の
情報を管理サーバ６０に送信する機能を有する構成とすることもできる。
【００４５】
さらに、携帯通信端末５０については、これと水処理器１０との間でデータ送受信可能
となるように、使用者が携帯通信端末５０を手に持って水処理器１０に近付けた状態に保
持したり、水処理器１０の近くの所定箇所に携帯通信端末５０を置くことが必要となるが
、そのようにして携帯通信端末５０と水処理器１０が互いに近付いた状態を確保する以外
に、水処理器１０上に携帯通信端末５０を載置可能なスタンドを設け、このスタンドに携
帯通信端末を置くことで通信可能に水処理器に近付いた状態が得られるようにすることも
できる。
【００４６】
この場合、携帯通信端末用のスタンドは、水処理器自体の操作を妨げない状態で且つ水
がかかりにくい状態で携帯通信端末５０を着脱可能に置ける、水処理器１０上部に設けら
れるのが望ましい。そして、携帯通信端末５０の表示デバイス５１や入力デバイス５２の
位置や向きを使用者にとって最適位置とするために、スタンドの位置や向きを水処理器上
部に対し調整可能とするのが望ましい。
【００４７】
また、携帯通信端末をスタンドに置いたら、水処理器側との近距離無線通信等により、
携帯通信端末５０側でスタンドに置いた状態を自動認識し、同時に所定の機能を起動する
構成として、例えば、音声入力で操作可能な状態としたり、携帯通信端末に手を近付けた
だけで操作を受け入れる状態とするなど、調理作業中に手で触れる操作を回避できるよう
にしてもよい。この他、携帯通信端末をスタンドに置いた状態では、携帯通信端末への充
電を可能として、少なくとも料理品目の情報表示を行う間は携帯通信端末の作動を確実に
継続させられるようにすることもできる。
【００４８】
前記管理サーバ６０は、ネットワーク１００に接続され、携帯通信端末５０から送信さ
れた水処理器１０の流量に係る情報を受信してこれを監視し、流量に係る情報に基づく水
処理器１０での水の使用状態について所定の基準状態と比較検証し、水使用状態が異常と
見なせる状況にある場合は、その旨を通知する情報を登録済みの携帯通信端末５０に送信
するサービスを実行可能なサーバとされる構成である。
【００４９】
なお、本実施形態をはじめとする本願で使用する「サーバ」の語は、必ずしも単独の装
置を意味するものでなく、複数の装置がネットワーク接続されて協動して、携帯通信端末
側で要求する一又は複数のサービスを一体として提供する装置群である場合も包含する。
【００５０】
この管理サーバ６０は、携帯通信端末５０からネットワーク１００を通じて送信される
水処理器１０の流量に係る情報を受信した際には、この流量に係る情報を水処理器１０ご
とに記録し、水供給に係る履歴データとして蓄積する機能も有している。なお、管理サー
バ６０は、使用者の異なる多数の水処理器の流量に係る情報を、水処理器ごとにそれぞれ
記録、蓄積しており、多数の水処理器について蓄積した各履歴データをそれぞれ参照可能
となっている。
【００５１】
管理サーバ６０は、携帯通信端末５０がその使用者の使用する水処理器と対応すること
と、携帯通信端末５０が端末ごとに識別可能な固有の情報を有していることに基づき、水
処理器に関する携帯通信端末５０の送信情報から水処理器を特定して、問題なく水処理器
１０ごとに流量に係る情報を記録して履歴データとして蓄積でき、且つ新たに携帯通信端
末５０から得た情報について、対応する水処理器の履歴データを確実に参照して比較検証
等を行える仕組みである。
【００５２】
そして、管理サーバ６０は、携帯通信端末５０から送信される新たな流量に係る情報を
受信すると、管理サーバ６０に記録、蓄積された履歴データを参照し、この履歴データか
ら求めた、以前の平均的な水使用継続時間を基準として、新たに受信した情報に基づく水
使用継続時間を検証し、この水使用継続時間が所定の許容範囲を超えて多い状態となって
、異常と見なせると判断した場合は、こうした異常な状態を使用者に通知する内容のデー
タを、携帯通信端末５０に向け送信する仕組みである。
【００５３】
また、管理サーバ６０は、他の主要な機能として、携帯通信端末５０からの情報要求デ
ータを受信して、携帯通信端末５０に対応する水処理器１０で供給可能な処理水を材料と
して含むか、調理過程で使用する所定の料理品目を抽出して、この抽出された料理品目の
情報を携帯通信端末５０に送る機能を有する。また、管理サーバ６０は、抽出された料理
品目の情報を、水処理器ごとに蓄積される前記履歴データの一部として記録する機能を有
する一方、履歴データとは別に、水処理器ごとに、その水処理器が供給可能な処理水の種
類を全て記録した仕様データを有している。
【００５４】
詳細には、管理サーバ６０は、携帯通信端末５０から送信される情報要求データを受信
すると、管理サーバ６０に記録された水処理器ごとの仕様データを参照し、水処理器１０
で供給可能な処理水を把握した上で、同じく管理サーバ６０に記録された料理品目のデー
タベースから、水処理器１０で供給可能な処理水を材料として含むか、調理過程で使用す
る複数の料理品目のうち、所定の判断基準に合致する料理品目を抽出し、抽出された料理
品目の情報を、携帯通信端末５０に向け送信する仕組みである。そして、この送信の一方
で、管理サーバ６０は、抽出された料理品目の情報を水処理器ごとの履歴データの一部と
して記録していく。
【００５５】
管理サーバ６０が料理品目を抽出する際の判断基準としては、続けて同じ料理品目が提
案されないように、直近の所定期間内で、携帯通信端末５０での提案のために抽出された
料理品目と重複しないこと、がまず第一に挙げられる。その他、この判断基準としては、
例えば、管理サーバ６０があらかじめ収集し蓄積した、使用者の異なる他の多数の水処理
器ごとの履歴データの解析により求められる、料理品目の調理提案した実績数が他より多
いことや、別途管理サーバ６０が収集し蓄積した、他の多数の使用者がそれぞれ好む料理
品目として挙げたもののデータを解析して求められる、料理品目の人気がより高いこと、
などが挙げられる。
【００５６】
また、水処理器での処理水利用の均等化を図るため、管理サーバ６０で同じ水処理器の
履歴データを解析して求められる、水処理器での直近の所定期間内における使用頻度が他
より少ない処理水、を使用する料理品目であること、を判断基準としたり、水処理器での
消耗品の消耗のバランスをとるために、同じ水処理器の履歴データの解析により、直前の
料理品目を把握して、新たに使用する処理水の酸性又はアルカリ性の性質が、直前の料理
品目で使用された処理水のそれと異なる処理水、を使用する料理品目であること、を判断
基準とすることもできる。
【００５７】
この他、管理サーバ６０は、携帯通信端末５０に送信する料理品目の情報に含まれる処
理水を除く材料について、所定の通信販売サイトで所定価格で販売されていることを案内
して購入を促す情報を携帯通信端末５０に別途送信して表示を行わせることもできる（図
７参照）。また、携帯通信端末５０からの情報要求データを受信した際に、処理水を材料
又は調理作業過程で使用することに加えて、所定の通信販売サイトで所定価格で販売され
ている食材を材料として使用する料理品目を抽出し、この料理品目の情報を携帯通信端末
５０に送信するようにすることもできる。
【００５８】
さらに、管理サーバ６０は、携帯通信端末５０からの情報要求データを受信することで
、水処理器１０で供給可能な処理水を、材料として又は調理の作業で使用する所定の料理
品目を抽出する一連の処理を実行し、この抽出された料理品目の情報を携帯通信端末５０
に送信するようにしているが、この他、水処理器１０の供給可能な処理水の種類等の仕様
情報が、管理サーバ６０で既に把握されると共に、水処理器１０と使用者を同じくする携
帯通信端末５０と適切に関連付けられている場合には、情報要求データの受信を待たず、
管理サーバ６０で事前に処理水を使用する料理品目を抽出しておき、任意のタイミングで
管理サーバ６０から携帯通信端末５０に料理品目の情報を自動配信し、携帯通信端末５０
が水処理器１０に近付いてこれと通信可能となった時点又はそれ以降の任意のタイミング
で、携帯通信端末５０による料理品目の情報の表示を実行するようにしてもかまわない。
この場合、自動配信のタイミングを適切に設定すれば、料理品目の情報の送信においてネ
ットワークトラフィックの変動の影響を受けにくくすることができる。
【００５９】
次に、本実施形態に係る情報提供システムにおける携帯通信端末での料理品目について
の情報表示、及び水処理器の作動について説明する。前提として、あらかじめ携帯通信端
末５０に情報提供表示用のプログラムが格納され、自動的に起動されるか、使用者の操作
により起動されて、既に携帯通信端末５０上で実行状態となっているものとする。また、
携帯通信端末５０は、処理水供給を行わせる対象の水処理器１０の通信可能領域内では、
問題なく水処理器１０と無線通信可能な状態にあるものとする。
【００６０】
加えて、水処理器１０は、電源投入状態とされると共に、原水としての水道水を使用者
の蛇口操作で適宜通水可能とされ、また、浄水カートリッジや食塩、カルシウムの補充も
適切になされ、問題なく作動して所定の処理水を選択して供給可能な状態にあるものとす
る。
【００６１】
さらに、携帯通信端末５０とデータをやり取りする管理サーバ６０には、使用者が携帯
通信端末５０と共に使用する水処理器１０があらかじめ登録され、また、その水処理器１
０が供給可能な処理水の種類を記録した仕様データも合わせて登録されているものとする
。
【００６２】
使用者が携帯通信端末５０を水処理器１０に近付け、水処理器１０の通信手段２２の通
信可能領域に位置させると、携帯通信端末５０は水処理器１０と通信可能な状態となる。
この携帯通信端末５０が、水処理器１０の通信手段２２からの信号を受信すると、この信
号を通信対象の水処理器１０のものと識別して、通信手段２２と携帯通信端末５０との通
信を許可して通信接続を確立する。
【００６３】
携帯通信端末５０と水処理器１０との通信接続が確立すると、携帯通信端末５０の表示
デバイス５１に、水処理器１０と携帯通信端末５０が通信可能状態となった旨が必要に応
じ表示される。そして、使用者への料理品目情報の表示、すなわち、材料としての処理水
や、処理水の使用段階を含む調理の過程を説明した内容の表示、に係る処理が実際に開始
されることとなる。
【００６４】
なお、ある携帯通信端末５０と水処理器１０との無線通信が確立されたら、その後は情
報提供に係る処理が終了するまで、携帯通信端末５０側では他の水処理器、又は、近距離
通信で連携する所定機器からの送信があっても受付けず、携帯通信端末５０と通信を行う
水処理器を一台に限定して混線を防止するようにしている。
【００６５】
携帯通信端末５０と水処理器１０との通信接続が確立すると、料理品目についての情報
をダウンロードして表示するために、携帯通信端末５０は、情報要求データを管理サーバ
６０に送信する。
【００６６】
管理サーバ６０は、情報要求データを受けたら、受信したデータに含まれる固有識別用
情報から携帯通信端末５０を識別し、これに対応してあらかじめ登録された水処理器ごと
の仕様データを読み出す。
【００６７】
管理サーバ６０は仕様データから水処理器の供給可能な処理水の情報を取得し、これに
基づいて料理品目のデータベースから、この水処理器で供給可能な処理水を材料として使
用するか、処理水を調理の過程で例えば洗浄や殺菌等に使用する、所定の料理品目を抽出
する。
【００６８】
なお、管理サーバ６０は、水処理器ごとの履歴データに、以前に提案した料理品目につ
いてのデータが蓄積されている場合には、その履歴データに基づいて、直近の所定期間内
に提案されたものと重複しない料理品目である点も含めて抽出を行う。
【００６９】
そして、管理サーバ６０は、抽出した料理品目を、使用者に対し調理を提案する料理品
目として決定し、その料理品目の情報を携帯通信端末５０に送信する。合わせて、送信し
た料理品目を示すデータを、端末への情報送信日時等の、一回の調理の提案ごとに識別可
能にする情報を付加した上で、水処理器ごとの履歴データの一部として記録する。
【００７０】
携帯通信端末５０は、管理サーバ６０からの料理品目についての情報を受信すると、料
理品目の情報の表示として、表示デバイス５１に、その料理品目について、材料やその調
理過程を表示する（図７参照）。
【００７１】
同時に、携帯通信端末５０は、その料理品目についての表示画面中で、材料としての処
理水、又は調理過程で処理水を使用する所定段階について、それぞれ操作可能なスイッチ
領域５１ａとして明示した表示を行うと共に、表示に基づく処理水の供給指示操作入力を
入力デバイス５２で受入れ可能とする。
【００７２】
携帯通信端末５０が、この表示されたスイッチ領域５１ａを触れるなどの、処理水供給
についての使用者による指示操作入力を入力デバイス５２で受入れると、表示デバイス５
１で、必要に応じて処理水供給の指示操作がなされたことを示す所定の表示を行う一方、
この入力デバイス８１で受入れた入力に対応する処理水を特定するデータを水処理器１０
に送信する。
【００７３】
水処理器１０の通信手段２２が、携帯通信端末５０からのデータを受信すると、水処理
器１０の制御部２０は、生成、供給する処理水を選択決定し、操作部１９における処理水
供給のために選択操作すべき箇所も自動的に選択状態に移行させる、例えば、操作部１９
の該当するスイッチにおける内蔵された照明を点灯させる。
【００７４】
こうした処理水選択状態への移行後、使用者が、水処理器１０に原水を供給する蛇口を
操作し、水処理器１０への通水を実行すると、水処理器１０の制御部２０が水処理器内部
の各機構を作動させ、処理水を生成して供給する。
【００７５】
水処理器１０では、通水により水処理器１０が処理水を供給すると、この水供給の際に
おける流量センサ１３での検出に基づいた、この水供給での流量に係る情報が制御部２０
で取得される。制御部２０は、この流量に係る情報を、水供給ごとに選択指定された処理
水の種類の情報と共に、通信手段２２により携帯通信端末５０へ送信する。携帯通信端末
５０は、水処理器１０からの流量に係る情報等を受信すると、これらの情報をネットワー
ク１００を介して管理サーバ６０に送信する。そして、管理サーバ６０では、こうした流
量に係る情報等を受け取ると、対応する水処理器ごとに履歴データとして記録する。
【００７６】
携帯通信端末５０における料理品目についての情報表示に基づく、使用者の調理作業中
の処理水使用が終了すると、使用者は蛇口を操作して水処理器への通水を終了させる。そ
して、調理作業が終了し、使用者が携帯通信端末５０を水処理器１０から離して移動する
と、携帯通信端末５０と水処理器１０との通信状態も終了することとなる。携帯通信端末
５０は、これを水処理器１０に近付ける前とと同様、水処理器１０と通信可能な状態に至
る前の、水処理器１０との通信を待機する状態に移行する。
【００７７】
こうして携帯通信端末５０で料理品目についての情報を表示して、使用者の調理を提案
及び支援する一連の過程について、最初に調理の提案を行った以降の各提案の機会では、
管理サーバ６０は、水処理器ごとの履歴データに、提案した料理品目のデータが記録、蓄
積されていることから、履歴データに基づいて、直近の所定期間内に提案されたものと重
複しない料理品目である点を、料理品目を抽出する際の判断基準とすることとなる。
【００７８】
すなわち、管理サーバ６０は、前記同様に、情報要求データを受けると、携帯通信端末
５０に対応した水処理器の仕様データを読み出し、この仕様データから水処理器の供給可
能な処理水の情報を取得し、これに基づいて料理品目のデータベースから、この水処理器
で供給可能な処理水を材料として使用するか、処理水を調理の過程で使用する料理品目で
あり、且つ、前記判断基準に合致する、直近の所定期間内に提案されたものとは異なる所
定の料理品目を抽出する。
【００７９】
この抽出した料理品目についての情報を、管理サーバ６０が使用者に対する新たな提案
として携帯通信端末５０に送信し、情報を受け取った携帯通信端末５０で前記同様の過程
が繰り返され、新たな情報表示に基づく調理作業の支援と、表示された処理水の水処理器
１０による供給が実行される。そして、これ以降も、前記一連の過程が繰り返されていく
ことで、管理サーバ６０に、料理品目についての情報と水処理器の流量に係る情報が水処
理器ごとの履歴データとして記録され、蓄積されていく。
【００８０】
なお、携帯通信端末５０は、水処理器との通信接続を確立したら、そのまま管理サーバ
６０に情報要求データを送信して管理サーバ６０から料理品目の情報をダウンロードし、
料理品目の情報表示を行う構成としているが、これに限らず、水処理器１０との通信接続
が確立してから、一旦携帯通信端末５０は料理品目の情報表示を行うか否かの表示を表示
デバイスで行うと共に使用者の操作入力を入力デバイスで可能として、使用者に対し料理
品目についての情報表示実行可否の問い合わせを行い、使用者の操作により料理品目の情
報表示を行うように選択された場合のみ、料理品目の情報表示の一連の過程が実行される
ようにしてもかまわない。
【００８１】
続いて、本実施形態に係る情報提供システムにおける管理サーバでの水使用の異常状態
判別及び携帯通信端末での水使用の異常状態通知の各過程について説明する。
前記料理品目についての情報表示に対応させて水処理器１０で水供給を実行させた場合
など、使用者が水処理器１０に通水し、水処理器１０で処理水の生成、供給がなされるた
びに、水処理器１０で流量に係る情報が取得される。水処理器１０は、この情報を通信可
能状態にある携帯通信端末５０に送信し、さらに携帯通信端末５０が、水処理器１０の流
量に係る情報を管理サーバ６０に送信する過程が繰り返される。
【００８２】
管理サーバ６０は、水処理器１０の流量に係る情報を新たに受信すると、送信情報に含
まれる固有情報から使用した水処理器を識別し、水処理器ごとに蓄積された履歴データを
読み出す。
そして、管理サーバ６０は、読み出した水処理器の履歴データと、その水処理器の新た
な流量に係る情報とを比較解析する。まず、管理サーバ６０は、水処理器の新たな流量に
係る情報から、水処理器１０が供給した処理水の供給時間、すなわち、新たな使用機会に
おける処理水の使用継続時間を導出する。そして、この新たな使用継続時間について、水
処理器の履歴データに基づく、その時点までに水処理器１０における同じ処理水の使用継
続時間の実績から、処理水の平均的な使用継続時間を求めた上で、比較を行う。
【００８３】
新たな処理水の使用継続時間が、履歴データに基づく平均的使用継続時間に対し、あら
かじめ設定された所定の許容範囲を超えて長い時間となっている、例えば、所定の処理水
の使用継続時間が、以前はほぼ一定の継続時間であったものが、新たな情報によるものは
許容範囲としての上限値を上回るほど大幅に増大しているなど、水処理器における水使用
時間に著しい変化が生じていることが判明した場合、管理サーバ６０は、新たな流量に係
る情報の基となった処理水の使用は異常と見なせると判定する。
【００８４】
より具体的には、所定の処理水を使用者が使用する状況で、実際の処理水使用が終わっ
たにもかかわらず、誤って通水を停止させず処理水の供給が継続する水垂れ流し時には、
処理水の使用継続時間が以前の平均的継続時間に比べ著しく増加する事態となる。
【００８５】
使用者の通水停止操作忘れによる水垂れ流しに対しては、使用者に通水停止操作を行う
ように警告することが望ましいが、こうした処理水使用継続時間の変化を管理サーバ６０
が処理水使用継続時間の比較から判別し、異常な状態として取り扱うことで、管理サーバ
６０に使用者の携帯通信端末５０に向けての通知を送信するなどの異常対応イベントを発
生させて、使用者への警告実施に繋げられる。
【００８６】
管理サーバ６０は、処理水の使用について異常な状態であることを判定した場合は、水
使用量の変化内容を含む異常状態通知用の情報を生成する。そして、管理サーバ６０は、
その通知用の情報を、水処理器１０の使用者の携帯通信端末５０に送信する。
【００８７】
携帯通信端末５０は、管理サーバ６０より送信された情報を受信し、この情報に含まれ
る通知内容に基づき、使用者に対し水使用継続時間についての警告となる所定の表示を、
表示デバイス５１の表示領域の一部に行う（図１０参照）。その具体例としては、「水使
用時間が普段より長くなっています。」、「通水停止操作を忘れていませんか。」、「水
が垂れ流しになっていませんか。」などの表示となる。なお、この警告の通知は、表示に
よる他、警告音や音声による通知であってもよい。
【００８８】
このように、本実施形態に係る情報提供システムは、使用者に情報を表示提供する情報
提供部としての携帯通信端末５０で、水処理器１０から供給可能な処理水を使用する調理
作業を支援する情報を表示して、処理水の具体的使用例を示し、使用者が水処理器１０に
処理水を供給させて使用する動機付けを与える一方、その情報表示を視認しながら水処理
器操作が行える程度に携帯通信端末５０と水処理器１０を近付けた状態で、携帯通信端末
５０と水処理器１０とを通信可能とし、水処理器１０の供給した水の流量に係る情報を携
帯通信端末５０に送信して、携帯通信端末５０を通じて管理サーバ６０で水の流量に係る
情報を監視、検証し、水処理器１０の水の使用状態が異常と見なせる場合には、その異常
な状態を示す情報を所定の携帯通信端末５０に送り、携帯通信端末５０から水使用の異常
な状態を通知させることから、水処理器１０の有効な活用を図りつつ、水処理器１０の処
理水の使用に関して異常な状態が生じている場合には、使用者などにそうした異常な状態
を把握させて対処させられ、水使用の異常につながった使用者又は水処理器における問題
を解消できる。
【００８９】
より具体的には、管理サーバ６０で水処理器１０の流量に係る情報を新たに取得した際
に、この新たな情報に基づく水使用の継続時間を求める一方、管理サーバ６０に記録蓄積
した同じ水処理器１０の履歴データから水使用の平均的継続時間を求め、新たな情報に基
づく継続時間と平均的継続時間との比較で、許容範囲を超えるような長い時間にわたり水
使用がされている場合に、異常な状態と判断して、使用者の携帯通信端末５０に通知を行
うことから、水処理器１０の処理水を使用した使用者に対し、平均的な使用継続時間に比
べ明らかに長い時間にわたって水使用が継続している異常な状態で、使用者に通知を行っ
て警告できることとなり、使用者が意図せずに通水が継続して垂れ流し状態となっている
ような場合に、使用者の適切な対応を促して、無駄な水供給の継続を防止できると共に、
意図しない処理水生成に伴う水処理器の処理能力低下進行も抑えられる。
【００９０】
なお、前記実施形態に係る情報提供システムにおいては、使用する水処理器の供給可能
な処理水の種類等の仕様情報が、あらかじめ管理サーバ６０に水処理器ごとの仕様データ
として記録、格納される構成としているが、これに限らず、管理サーバでは、水処理器の
同じ機種ごとにまとめて、供給可能な処理水に係る情報を記録、格納して機種ごとの仕様
データとして取り扱うようにし、携帯通信端末からの情報要求データが受信されるごとに
、このデータから水処理器の機種を判別し、機種ごとの仕様データを読み出して、料理品
目の抽出や異常な状態の判断に利用する構成とすることもでき、記録する仕様データの重
複をなくしてデータ容量を抑えられる。
【００９１】
また、前記実施形態に係る情報提供システムにおいては、携帯通信端末５０に対しネッ
トワーク越しに存在する管理部としての管理サーバ６０が、水処理器１０で供給可能な処
理水を使用する料理品目を抽出し、この抽出した料理品目の情報を携帯通信端末５０に送
信して表示等を行わせる構成としているが、これに限らず、管理部が管理サーバでなく情
報提供部としての携帯通信端末５０の一部とされ、携帯通信端末５０が、通信可能となっ
た水処理器１０の供給可能な処理水の種類に対応して、データベース化された料理品目情
報の中から、前記処理水を使用する料理品目を抽出し、この料理品目を使用者に対し調理
を提案するものとして決定し、そのまま料理品目についての情報表示を実行する構成とす
るようにしてもかまわない。
【００９２】
また、前記実施形態に係る情報提供システムにおいて、携帯通信端末５０は、表示デバ
イス５１に使用者に対し調理を行わせたい料理品目についての情報を表示し、この情報に
示される処理水の使用を促せる構成としているが、この他、携帯通信端末５０は、水処理
器操作用の特別なプログラムの実行により、表示デバイス５１で水処理器１０で供給可能
な複数種類の処理水を表す所定の表示を行うと共に、この表示に基づいて使用者の処理水
を選択する操作入力を入力デバイス５２で受付け可能とし、使用者が選択操作を行うと、
選択された処理水を特定するデータが水処理器１０に送信されるようにして、水処理器１
０で生成、供給する処理水の選択指示が携帯通信端末５０から水処理器１０の操作部１９
同様に行える構成とすることもできる。
【００９３】
また、前記実施形態に係る情報提供システムにおいては、管理サーバ６０が情報要求デ
ータを受けたら、料理品目の情報を一つのみ抽出して携帯通信端末５０に送信する構成と
しているが、これに限られるものではなく、管理サーバ６０が、水処理器１０が供給可能
な処理水を使用する複数の料理品目を抽出し、これら複数の料理品目の情報を携帯通信端
末５０に送信し、携帯通信端末５０で使用者に複数の料理品目の中から一つを選択させる
ようにしてもかまわない。
【００９４】
この場合、管理サーバ６０は、情報要求データを受け取ると、水処理器ごとの仕様デー
タから水処理器の供給可能な処理水の情報を取得し、これに基づいて料理品目のデータベ
ースから、この水処理器で供給可能な処理水を材料として使用するか、処理水を調理の過
程で使用する、複数の料理品目を抽出し、使用者に対し調理を提案する料理品目として、
それらの料理品目の情報を携帯通信端末に送信することとなる。
【００９５】
そして、携帯通信端末５０は、管理サーバ６０からの複数の料理品目についての情報を
受信すると、表示デバイス５１に、まず複数の料理品目の中からいずれか一つを選択させ
る表示を行わせると共に、入力デバイス５２で使用者の選択指示操作入力を受入可能とす
る。使用者が選択操作により料理品目を指示し、入力デバイス５２が入力を受け付けると
、使用者の選択した所定の料理品目について、実際にその材料や調理過程を示して使用者
の調理作業を支援する情報表示を、表示デバイス５１で実行する。一方、携帯通信端末５
０で使用者に選択された料理品目の情報は管理サーバ６０に送信され、管理サーバ６０が
、選択された料理品目の情報を水処理器ごとの履歴データの一部として記録する。合わせ
て、前記同様に料理品目で使用される処理水について、水処理器１０に処理水を特定する
情報が送信されることとなる。
【００９６】
使用者が複数の候補の中から好みに合った料理品目を選べることで、使用者の実際に調
理を実行しようとする動機付けをより強くすることができ、水処理器の使用をより確実な
ものとすることができる。
【００９７】
（本発明の第２の実施形態）
本発明の第２の実施形態に係る情報提供システムを、前記図１１に基づいて説明する。
本実施形態に係る情報提供システム２は、前記第１の実施形態同様、水処理器１０と、
携帯通信端末５０と、管理サーバ６０とを備える一方、異なる点として、管理サーバ６０
が、水処理器１０の新たな流量に係る情報に基づく水使用量と、履歴データから求めた平
均的な水使用量とを比較検証し、前者が後者に対し所定の許容範囲を超えて多い又は少な
い場合に、水使用状態を異常と見なして、携帯通信端末５０に異常な状態を通知するため
の情報を送信する構成を有するものである。
なお、本実施形態の情報提供システムにおける水処理器１０及び携帯通信端末５０につ
いては、前記第１の実施形態同様の構成であり、詳細な説明を省略する。
【００９８】
前記管理サーバ６０は、前記第１の実施形態同様、ネットワーク１００に接続され、携
帯通信端末５０から送信された水処理器１０の流量に係る情報を受信してこれを監視し、
流量に係る情報に基づく水処理器１０での水の使用状態について所定の基準状態と比較検
証し、水使用状態が異常と見なせる場合は、その旨を通知する情報を登録済みの携帯通信
端末５０に送信するサービスを実行する構成である。
【００９９】
この管理サーバ６０は、携帯通信端末５０から送信される新たな流量に係る情報を受信
すると、管理サーバ６０に記録、蓄積された履歴データを参照し、この履歴データから求
めた、以前の平均的な水使用量を基準として、新たに受信した情報に基づく水使用量を検
証し、この水使用量が所定の許容範囲を超えて多いか少ない状態となって、異常と見なせ
ると判断した場合は、こうした異常の状態を使用者に通知する内容の情報を、携帯通信端
末５０に向け送信する仕組みである。
【０１００】
なお、管理サーバ６０が、携帯通信端末５０からの情報要求データを受信して、携帯通
信端末５０に対応する水処理器１０で供給可能な処理水を材料として含むか、調理過程で
使用する所定の料理品目を抽出して、この抽出された料理品目の情報を携帯通信端末５０
に送る機能については、前記第１の実施形態同様のものであり、詳細な説明を省略する。
【０１０１】
次に、本実施形態に係る情報提供システムにおける管理サーバでの水使用の異常状態判
別及び携帯通信端末での水使用の異常状態通知の各過程について説明する。
前記料理品目についての情報表示に対応させて水処理器１０で水供給を実行させた場合
など、使用者が水処理器１０に通水し、水処理器１０で処理水の生成、供給がなされるた
びに、水処理器１０で流量に係る情報が取得される。水処理器１０は、この情報を通信可
能状態にある携帯通信端末５０に送信し、さらに携帯通信端末５０が、水処理器１０の流
量に係る情報を管理サーバ６０に送信する過程が繰り返される。
【０１０２】
管理サーバ６０は、水処理器１０の流量に係る情報を新たに受信すると、送信情報に含
まれる固有情報から使用した水処理器を識別し、水処理器ごとに蓄積された履歴データを
読み出す。
そして、管理サーバ６０は、読み出した水処理器の履歴データと、その水処理器の新た
な流量に係る情報とを比較解析する。まず、管理サーバ６０は、水処理器の新たな流量に
係る情報から、水処理器１０が供給した処理水の水量、すなわち、新たな使用機会におけ
る処理水の使用量を導出する。そして、この新たな使用量について、水処理器の履歴デー
タに基づく、その時点までに水処理器１０で供給した同じ処理水の流量の実績から、処理
水の平均的使用量を求めた上で、比較を行う。
【０１０３】
新たな処理水の使用量が、履歴データに基づく平均的使用量に対し、所定の許容範囲を
超えて多い又は少ない量となっている、例えば、所定の処理水の使用量が、以前はほぼ一
定の規則的で緩やかな増減変化であったものが、新たな情報によるものは、あらかじめ許
容範囲として設定された下限値を下回るほど大幅に減少しているなど、水処理器の水の使
用状態に著しい変化が生じていることが判明した場合、管理サーバ６０は、新たな流量に
係る情報の基となった処理水の使用状態は異常と見なせると判定する。
【０１０４】
より具体的には、処理水としてのアルカリ水や浄水を使用者が飲用に用いている場合で
、定期的な所定量の飲用を習慣として継続していた状況から、一ないし数回飲用を忘れた
ような時には、単位期間（例えば、一日）における飲用量が以前の平均的飲用量に比べ急
激に減少する事態となる。
【０１０５】
使用者の飲用忘れに対しては、使用者に飲用を忘れないように注意を喚起することが望
ましいが、こうした処理水使用量（飲用量）の変化を管理サーバ６０が処理水使用量の比
較から判別し、異常な状態として取り扱うことで、管理サーバ６０に使用者に向けての通
知を送信するなどの異常対応イベントを発生させて、使用者への注意喚起の実行に繋げら
れる。
【０１０６】
管理サーバ６０は、処理水の使用について異常な状態であることを判定した場合は、水
使用量の変化内容を含む異常状態通知用の情報を生成する。そして、管理サーバ６０は、
その通知用の情報を、水処理器１０の使用者の携帯通信端末５０に送信する。
【０１０７】
携帯通信端末５０は、管理サーバ６０より送信された情報を受信し、この情報に含まれ
る異常状態の通知内容（例えば、以前より使用量が減ったこと）に基づき、使用者に対し
水使用量についての注意喚起となる所定の表示を、表示デバイス５１の表示領域の一部に
行う（図１１参照）。その具体例としては、「□□水の飲用量が普段より少なくなってい
ます。」、「□□水の飲用を忘れていませんか。」などの表示となる。なお、この注意喚
起の通知は、表示による他、警告音や音声による通知であってもよい。
【０１０８】
このように、本実施形態に係る情報提供システムは、管理サーバ６０で水処理器１０の
流量に係る情報を新たに取得した際に、この新たな情報に基づく処理水の使用量を求める
一方、管理サーバ６０に記録蓄積した同じ水処理器１０の履歴データから処理水の平均的
使用量を求め、新たな情報に基づく使用量と平均的使用量との比較で、許容範囲を超える
ような水使用の増減がある場合に、異常な状態と判断して、使用者の携帯通信端末５０に
通知を行うことから、水処理器１０の処理水を使用した使用者に対し、処理水の従来から
使用してきた定常の使用量を大きく下回る水量のみ使用したか、逆に定常の使用量を超過
して使い過ぎたような従来と明らかに異なる状態で、使用者に携帯通信端末５０から通知
を行って注意を喚起できることとなり、習慣のように繰り返し行う周期的な水使用につい
て、使用者の自覚を促し、誤って定常使用状態から外れるように実行する機会を減らして
、使用者に処理水の適切な使用を継続的に行わせることができる。
【０１０９】
なお、前記実施形態に係る情報提供システムにおいて、管理サーバ６０は、携帯通信端
末５０から送信される新たな流量に係る情報を受信すると、この流量に係る情報に基づく
水処理器１０での水の使用量について、履歴データから求めた以前の平均的な水使用量を
基準として比較検証し、水使用量が過度に多いか少ない異常状態を検知する構成としてい
るが、この他、あらかじめ処理水ごとの水使用量の基準量を設定して管理サーバ６０に登
録し、管理サーバ６０が携帯通信端末５０から新たな流量に係る情報を取得すると、この
新たな情報に基づく所定の処理水の水使用量を、対応する処理水ごとの登録済みの基準量
と比較検証して、この水使用量の異常状態を判別する構成とすることもでき、管理サーバ
６０における異常状態の判断に係る処理を簡略化できる。
【０１１０】
（本発明の第３の実施形態）
本発明の第３の実施形態に係る情報提供システムを、前記図１２及び図１３に基づいて
説明する。
前記各図において、本実施形態に係る情報提供システムは、前記第１の実施形態同様、
水処理器１０と、携帯通信端末５０と、管理サーバ６０とを備える一方、異なる点として
、管理サーバ６０が、水処理器１０の新たな流量に係る情報に基づいて水処理器１０への
通水状態を検証し、水処理器１０に所定時間以上にわたって通水されていない場合に、水
使用に係る異常な状態と見なして、携帯通信端末５０に異常な状態を通知するための情報
を送信する構成を有するものである。
なお、本実施形態の情報提供システムにおける水処理器１０及び携帯通信端末５０につ
いては、前記第１の実施形態同様の構成であり、詳細な説明を省略する。
【０１１１】
前記管理サーバ６０は、前記第１の実施形態同様、ネットワーク１００に接続され、携
帯通信端末５０から送信された水処理器１０の流量に係る情報を受信してこれを監視し、
流量に係る情報に基づく水処理器１０での水の使用状態について所定の基準状態と比較検
証し、水使用状態が異常と見なせる状況にある場合は、その旨を通知する情報を登録済み
の携帯通信端末５０に送信するサービスを実行する構成である。
【０１１２】
そして、管理サーバ６０は、携帯通信端末５０から送信される新たな流量に係る情報を
受信すると、この流量に係る情報から水処理器１０への通水量を検知し、水処理器に対し
通水されておらず通水量が０である状態が、あらかじめ設定された所定時間以上続いてい
て、異常な状態と見なせると判断した場合、こうした異常状態を使用者に通知する内容の
データを、携帯通信端末５０に向け送信する仕組みである。
【０１１３】
なお、管理サーバ６０が、携帯通信端末５０からの情報要求データを受信して、携帯通
信端末５０に対応する水処理器１０で供給可能な処理水を材料として含むか、調理過程で
使用する所定の料理品目を抽出して、この抽出された料理品目の情報を携帯通信端末５０
に送る機能については、前記第１の実施形態同様のものであり、詳細な説明を省略する。
【０１１４】
次に、本実施形態に係る情報提供システムにおける管理サーバでの水使用の異常状態判
別及び携帯通信端末での水使用の異常状態通知の各過程について説明する。
前記第１の実施形態と同様に、前記料理品目についての情報表示に対応させて水処理器
１０で水供給を実行させた場合など、使用者が水処理器１０に通水し、水処理器１０で処
理水の生成、供給がなされるたびに、水処理器１０で流量に係る情報が取得される。水処
理器１０は、この情報を通信可能状態にある携帯通信端末５０に送信し、さらに携帯通信
端末５０が、水処理器１０の流量に係る情報を管理サーバ６０に送信する過程が繰り返さ
れる。
【０１１５】
この他、水処理器１０に通水がなされず、水処理器１０で処理水の生成、供給が行われ
ていない場合においても、水処理器１０と携帯通信端末５０が通信可能状態にある間は、
所定時間間隔で、水処理器１０の流量に係る情報として、通水がされていないことを示す
内容を含んだ情報が、水処理器１０から携帯通信端末５０に送信される。この場合の水処
理器１０の流量に係る情報についても、さらに携帯通信端末５０から管理サーバ６０に送
信される。
【０１１６】
管理サーバ６０は、水処理器１０の流量に係る情報を新たに受信すると、送信情報に含
まれる固有情報から使用した水処理器を識別し、水処理器ごとに蓄積された履歴データを
読み出す。
そして、管理サーバ６０は、その水処理器の新たな流量に係る情報に基づいて取得され
る水使用に関する各種データと、読み出した水処理器の履歴データとを比較解析する。他
方、管理サーバ６０は、水処理器の新たな流量に係る情報から、水処理器１０への通水量
を導出する。この通水量が、あらかじめ設定された所定時間以上、続けて０である場合、
管理サーバ６０は、処理水の使用が長時間無い異常な状態が生じていると判定する。
【０１１７】
処理水の使用がない状態としては、具体的には、使用者が意図して水処理器経由の水を
使用しないようにしている場合の他、使用者自身の体調急変等により水処理器の近い場所
で動けなくなるなど、使用者が水処理器への通水に係る操作を行えない状況に陥っている
場合が考えられ、後者の場合、使用者の置かれた状況を変える外部からの対応が至急必要
となるが、こうした使用者の安否についての非常事態を管理サーバ６０が通水量の検出値
に基づいて判別し、異常な状態として取り扱うことで、管理サーバ６０に使用者に関係す
る他者に向けての通知を送信するなどの異常対応イベントを発生させて、使用者の状況に
対応する他者の行動の促進等に繋げられる。
【０１１８】
管理サーバ６０は、処理水の使用について、特に使用が長時間にわたって無い異常な状
態であることを判定した場合は、水使用がない旨の内容を含む異常状態通知用の情報を生
成する。そして、管理サーバ６０は、その通知用の情報を、水処理器１０の使用者以外の
あらかじめ登録された他者、例えば、使用者の家族や近親者等の関係者、の携帯通信端末
５０に送信する。
【０１１９】
携帯通信端末５０は、管理サーバ６０より送信された情報を受信し、この情報に含まれ
る通知内容に基づき、端末の使用者に対し水処理器の使用者の状況についての警告となる
所定の表示を、表示デバイス５１の表示領域の一部に行う（図１３参照）。その具体例と
しては、「○○さんが、長期間水を使用していません。」、「○○さんの安否が不明です
。確認をお願いします。」などの表示となる。なお、この警告通知は、表示による他、警
告音や音声による通知であってもよい。
【０１２０】
このように、本実施形態に係る情報提供システムは、管理サーバ６０で水処理器１０の
流量に係る情報を新たに取得した際に、この新たな情報から、水処理器１０における通水
量０の状態が長時間にわたり継続している場合に、管理サーバ６０が、使用者の通水操作
がなく水処理器１０の水を使用しない状況が続く異常な状態と判断して、使用者以外の登
録された携帯通信端末５０に通知を行うことから、夜間や外出等で処理水を使用しない、
一般的な水不使用状態の継続期間に比べて、明らかに長い時間にわたって処理水を供給し
ておらず、使用者が通常の生活を送っていることを想定できない異常な状態について、水
処理器１０の使用者のもの以外の携帯通信端末５０に通知を行って警告できることとなり
、使用者自身の体調変化等が原因で使用者が水処理器１０への通水操作を行えない状態と
なっているような場合に、携帯通信端末５０の通知を受けた他者に、使用者の状態を確認
させて、使用者の体調急変等の状態を放置せず適切に対応できることとなり、使用者の安
否確認を補助する役割を果たせる。
【０１２１】
（本発明の第４の実施形態）
前記第１ないし第３の各実施形態に係る情報提供システムにおいて、管理サーバ６０が
、水処理器１０の水使用状態について異常と判定して、携帯通信端末５０にこの異常状態
の通知用の情報を送る際には、水処理器１０の使用者の携帯通信端末５０が水処理器１０
と通信可能であって、水処理器１０からの流量に係る情報を携帯通信端末５０が受信でき
る状態である条件の下で、前記流量に係る情報が、水処理器１０から携帯通信端末５０が
送信された後、さらに携帯通信端末５０から管理サーバ６０に送信され、この送信された
流量に係る情報に基づいて管理サーバ６０が各処理を実行する構成としているが、この他
、第４の実施形態として、図１４ないし図１６に示すように、携帯通信端末５０が水処理
器１０とは通信不可能な状態にある場合に、管理サーバ６０がこの通信不可能な状態の継
続に基づいて異常を判断して、管理サーバ６０から携帯通信端末５０に通知情報を送信し
、携帯通信端末５０で使用者に通知を行う構成とすることもできる。
【０１２２】
この場合、管理サーバ６０は、携帯通信端末５０が水処理器１０と通信可能な状況にな
く、あらかじめ設定された所定期間以上にわたり携帯通信端末５０から水処理器１０の流
量に係る情報を取得していない場合に、異常な状態にあると判断し、この異常な状態を示
す通知情報を、水処理器１０の使用者の携帯通信端末５０と、あらかじめ登録された他者
の携帯通信端末に対し送信する機能を有するものとされる。
【０１２３】
すなわち、管理サーバ６０と携帯通信端末５０との間でデータ送受信可能でありながら
、携帯通信端末５０が何らかの原因で水処理器１０から流量に係る情報を長時間にわたり
受信できないことで、管理サーバ６０も水処理器１０の流量に係る情報を携帯通信端末５
０から新たに取得できず、且つ、この状態があらかじめ設定された所定時間以上継続した
場合、管理サーバ６０は、これを異常な状態と判断し、通信がない旨の内容を含む異常状
態通知用の情報を生成する。そして、管理サーバ６０は、その通知用の情報を、水処理器
１０の使用者及びあらかじめ登録された他者、例えば、使用者の家族や近親者等の関係者
、の携帯通信端末５０に送信する。
【０１２４】
携帯通信端末５０は、管理サーバ６０より送信された情報を受信し、この情報に含まれ
る通知内容に基づき、端末の使用者に対し、水処理器やその使用者の状況についての警告
となる所定の表示を、表示デバイス５１の表示領域の一部に行う（図１５、図１６参照）
。その具体例としては、水処理器の使用者に対しては「水処理器の水の使用が△ヶ月間確
認できません。水処理器や通信環境は正常ですか。」、水処理器使用者以外の他者に対し
ては「○○さんのここ△ヶ月間の安否が不明です。確認をお願いします。」などの表示と
なる。なお、この異常状態の警告通知は、表示による他、警告音や音声による通知であっ
てもよい。
【０１２５】
こうして、携帯通信端末５０と水処理器１０間の通信不具合や水処理器１０の作動不具
合等で水処理器１０から流量に係る情報を携帯通信端末５０に送れない状態の場合に、管
理サーバ６０が水処理器１０の使用者の携帯通信端末５０に通知を行わせることで、使用
者の適切な対応を促して、水供給に応じた流量に係る情報を再び管理サーバ６０で適切に
取得して処理を行うことができる。
【０１２６】
この他、使用者自身の体調変化等が原因で使用者が水処理器１０の側まで移動できず、
携帯通信端末５０と水処理器１０とを通信させられないような状況も考えられるが、その
間の水使用がないと仮定すると使用者が通常の生活を送っていることを想定できないよう
な長期間にわたって、携帯通信端末５０と水処理器１０が通信不能で、管理サーバ６０が
水処理器１０の流量に係る情報を携帯通信端末５０から取得できない場合、管理サーバ６
０がこれを異常な状態と判断して、あらかじめ登録された他者の携帯通信端末５０に通知
用の情報を送信し、携帯通信端末５０に警告の通知を行わせることができる。これにより
、携帯通信端末５０の通知を受けた他者に、使用者の状態を確認させて、使用者の体調急
変等の状態を放置せず適切な対応が図れることとなり、使用者の安否確認を補助する役割
を果たせる。
【０１２７】
なお、管理サーバ６０は、流量に係る情報を所定時間以上取得できない状態について異
常状態と判断し、異常状態通知用の情報を生成した後、この情報を携帯通信端末５０に送
信するのに先立って、水処理器１０の使用者の携帯通信端末が電話機能を備える場合には
、使用者の携帯通信端末の電話番号に対し発呼を行い（電話をかけ）、受話など使用者の
反応状態を確認するようにしてもよい。
【０１２８】
使用者が所定時間内に反応しない場合は、そのまま使用者以外のあらかじめ登録された
他者の携帯通信端末５０に通知用の情報を送信する一方、使用者が受話するなど使用者の
反応がある場合には、あらためて使用者の携帯通信端末のみに通信が適切に行えていない
旨の通知の情報を送信するようにして、使用者が健在ながら通信不具合等で異常状態に至
っている場合に、誤って関係者に通知用情報が送信されて通知がなされ、確認等の手間を
発生させる事態を防止できる。
【０１２９】
さらに、使用者の携帯通信端末５０に情報を送信したり発呼を行っても、使用者の反応
がない場合に、携帯通信端末５０における情報収集用プログラムを遠隔起動させ、携帯通
信端末本体又はこれと連携する状態で使用者に装着されたウェアラブル端末のセンサを用
いて、使用者の身体の状態に係る情報を収集し、得た情報を携帯通信端末５０から管理サ
ーバ６０に送信させて、この情報に基づいて使用者の状態を確認するようにすることもで
きる。
【０１３０】
この場合、使用者の身体の状態に係る情報としては、例えば、センサにより取得された
、体温、心拍数、血圧などの、使用者のその時点の状態を示す情報や、携帯通信端末５０
でその時点までに取得された活動量などの履歴情報、などを用いることができる。こうし
た使用者の身体の状態に係る情報を、携帯通信端末５０で収集し、さらに情報を管理サー
バ６０で処理することで、使用者の状態を高精度に把握でき、この状態から通信できない
状態の原因を推定したり、適切な対策に繋げられる。
【０１３１】
（本発明の第５の実施形態）
また、前記第１ないし第４の各実施形態に係る情報提供システムにおいて、管理サーバ
６０における水処理器１０ごとの履歴データのうち、水処理器の水の流量に係る情報を記
録、蓄積したデータについては、水処理器の水使用の異常な状態を判別するために使用す
る構成としているが、この他に、第５の実施形態として、履歴データから必要な情報を取
得して水処理器１０の状態やそのサポートタイミングの把握、メンテナンスの促進等に利
用する構成とすることもできる。
【０１３２】
具体的には、管理サーバ６０が、水処理器１０の流量に係る情報分の履歴データから、
水処理器における交換や補充を要する機構部品、例えば、浄水カートリッジ１２ａなど、
への通水量を推定、集計して、各部品ごとの使用開始時からの総通水量を取得する。そし
て、この総通水量が各部品ごとにあらかじめ設定された制限量（いわゆる設計寿命）に達
した場合には、管理サーバ６０は、使用者に対し水処理器１０がこうした部品の交換時期
に達した旨や、交換を勧める内容を通知するメッセージのデータを携帯通信端末５０に送
信する。
【０１３３】
これを受信した携帯通信端末５０は、データに基づいて表示デバイス５１で使用者に対
する上記のメッセージを表示することとなる（図１７参照）。この時、必要に応じて、携
帯通信端末５０が、水処理器１０への通水を強制停止させる指示情報を水処理器１０への
通水を制御する機構部に送信して、水処理器１０への通水を停止させる制御を行い、部品
の交換を促すようにすることもできる。
【０１３４】
また、水処理器について、その保守を行うためにあらかじめ登録された保守担当者が存
在する場合、管理サーバ６０は、交換や補充を要する機構部品への総通水量が制限量に達
した状況でのメッセージのデータを、使用者の携帯通信端末５０に送信するのと同時に、
又は使用者への送信に代えて、その水処理器の保守を行う保守担当者に対し、水処理器が
部品交換が必要な状態である旨を通知するメッセージのデータを保守担当者の携帯通信端
末に送信するようにし、これに対応して、保守担当者の携帯通信端末が、受信したデータ
に基づいて、端末の表示部分に保守担当者に対するメッセージを表示、又は端末から音声
出力する構成とすることもできる。
【０１３５】
この場合、保守担当者が、本来交換すべき部品の継続使用により水処理器が機能を正し
く発揮できない状態に至る前に、水処理器の状況を把握して保守対応可能となり、水処理
器が使用者に対し適切に処理水を供給できる状態を確保できると共に、適切な対応に基づ
いて顧客満足度を高められ、水処理器のライフサイクル全体にわたる価値の向上に繋げら
れる。
【０１３６】
この他、管理サーバ６０は、使用者にも交換、補充可能な浄水カートリッジ１２ａや薬
剤等の部品の交換や補充の時期をあらかじめ履歴データに基づいて推定し、そうした時期
の所定期間前になったら、カートリッジや薬剤の通信販売サイトの情報を携帯通信端末５
０に送信して、携帯通信端末５０の表示デバイス５１に直接表示又はリンク表示させて、
使用者に事前の購入を促したり、カートリッジや薬剤が通信販売サイトや実店舗において
所定価格で販売されているといった情報を携帯通信端末５０を通じて使用者に通知するよ
うにすることもできる。
【０１３７】
さらに、水処理器１０は、浄水カートリッジ１２ａに設けられたＩＣタグ等によりカー
トリッジごとに個別認識しつつ通水量や通水時間等を記録して交換時期管理を実行し、交
換時期に達した浄水カートリッジ１２ａを使用者が一度取り外した後再取り付けしたり、
ＩＣタグ等のない類似品に付け替えたりした時に、水処理器１０がそれらを検出し、必要
に応じて強制的に処理水の生成、供給を不可能にする機能を有する構成であってもよい。
そして、管理サーバ６０が、この水処理器１０の機能と連携して、水処理器１０で真正な
新品又は交換時期に達する前の浄水カートリッジでないものが検出された際に、適正な浄
水カートリッジに交換しないと使用できない旨の通知用情報を携帯通信端末５０に送信し
て、携帯通信端末５０に情報表示等による通知を実行させ、また、こうした通知を適正な
浄水カートリッジに交換するまで継続させるようにして、水処理器１０の使用者に適正部
品への交換を強く促す構成とすることもできる。
【０１３８】
なお、管理サーバ６０が履歴データに基づいて所定部品の交換や補充の時期を取得し、
こうした交換時期等に関するメッセージのデータが携帯通信端末５０に送信されることに
基づいて、携帯通信端末５０が交換時期等のメッセージ表示を実行する以外に、携帯通信
端末５０が、水処理器１０自体の機能で検出、取得されたカートリッジ交換時期やカルシ
ウム剤等の補充時期等の情報を、水処理器１０との通信により直接水処理器１０から受取
り可能として、こうした情報を表示デバイス５１で表示して使用者に通知したり、さらに
これらの情報をネットワーク１００を介して所定の相手先に送信可能とすることもでき、
例えば、情報を外部のメンテナンスサービス提供者に送信して、メンテナンス対応を自動
依頼するようにしてもかまわない。
【０１３９】
また、上記の管理サーバ６０から得た情報に基づいての実行の場合と同様に、携帯通信
端末５０が、水処理器１０から直接得た交換や補充時期の情報に基づいて、その時期の所
定期間前になったら、カートリッジや薬剤の通信販売サイトを表示して使用者に購入を促
したり、カートリッジや薬剤の販売価格情報を通知したり、真正品との交換を要求する表
示を行うようにすることもできる。
【符号の説明】
【０１４０】
１                情報提供システム
１０              水処理器
１０ａ            装置筐体
１０ｂ            電源部
１１              給水管
１２              浄水部
１２ａ            浄水カートリッジ
１３              流量センサ
１４ａ            食塩添加筒
１４ｂ            カルシウム添加筒
１５              流路切替部
１６              電解槽
１６ａ            第１電極板
１６ｂ            第２電極板
１６ｃ            第３電極板
１７ａ            吐水流路
１７ｂ            排出流路
１８              表示画面部
１９              操作部
２０              制御部
２１              記憶部
２２              通信手段
３０              蛇口
５０              携帯通信端末
５１              表示デバイス
５２              入力デバイス
５３              無線通信手段
５４              通信接続手段
５５              記憶手段
６０              管理サーバ
１００            ネットワーク
【図１】
2019209329.tif 000003
【図２】
2019209329.tif 000004
【図３】
2019209329.tif 000005
【図４】
2019209329.tif 000006
【図５】
2019209329.tif 000007
【図６】
2019209329.tif 000008
【図７】
2019209329.tif 000009
【図８】
2019209329.tif 000010
【図９】
2019209329.tif 000011
【図１０】
2019209329.tif 000012
【図１１】
2019209329.tif 000013
【図１２】
2019209329.tif 000014
【図１３】
2019209329.tif 000015
【図１４】
2019209329.tif 000016
【図１５】
2019209329.tif 000017
【図１６】
2019209329.tif 000018
【図１７】
2019209329.tif 000019
【手続補正書】
【提出日】令和1年7月9日(2019.7.9)
【手続補正１】
【補正対象書類名】明細書
【補正対象項目名】０００９
【補正方法】変更
【補正の内容】
【０００９】
本発明は前記課題を解消するためになされたもので、水処理器の供給可能な処理水の使用に関する情報を使用者に示して、水処理器の処理水供給機能を有効活用しやすくすることを目的とする。
【手続補正２】
【補正対象書類名】明細書
【補正対象項目名】００１０
【補正方法】変更
【補正の内容】
【００１０】
本発明の開示に係る情報提供システムは、使用者の使用に係る操作に基づいて、通水により流入した原水に対し所定の処理を施して得た処理水を供給する水処理器と、少なくとも表示手段を有し、前記水処理器で供給可能な種類の処理水を使用して使用者が行う所定の作業について、使用する所定の処理水を明示しつつ使用者による作業を支援する所定の情報表示を前記表示手段により実行する情報提供部と、を備え、前記情報表示には、処理水を使用する表示領域が、情報提供部の入力デバイスのスイッチとして使用者の指示操作を受入可能な状態で含まれており、表示領域を指す操作で指示入力がなされると、表示された処理水を特定するデータが水処理器に送信されて、水処理器で生成する処理水が選択されるものである。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】